(57)【要約】【課題】構造が簡単で開閉動作が行いやすく、かつ安価である切替機構を有する食器洗い機用ポンプを提供する。【解決手段】モータ部１１とポンプ部１２とからなり、前記ポンプ部１２は吸水口１３と吐出口１４とを有し、洗浄ノズル４、５に通じる給水通路１６、１７に分岐する分岐部１８が前記吐出口１４からの通路に設けられ、該分岐部１８に前記複数の給水通路１６、１７を開閉する切替弁２０が配された食器洗い機用ポンプ１０において、前記切替弁２０が通水部２４と止水部２５とを有する回転自在の回転体からなり、前記回転体の回動角度に応じて前記通水部２４が、前記複数の給水通路１６、１７の少なくとも１通路を開放する。【選択図】図３
2007181573.tif 000002
【特許請求の範囲】
【請求項１】
複数の洗浄ノズルを有する食器洗い機に内蔵され洗浄水の供給に用いられるポンプであって、
モータ部とポンプ部とからなり、
前記ポンプ部は吸水口と吐出口とを有し、
前記複数の洗浄ノズルに通じる給水通路に分岐する分岐部が前記吐出口からの通路に設けられ、
該分岐部に前記複数の給水通路を開閉する切替弁が配された食器洗い機用ポンプにおいて、
前記切替弁が通水部と止水部とを有する回転自在の回転体からなり、
前記回転体の回動角度に応じて前記通水部が、前記複数の給水通路の少なくとも１通路を開放する
ことを特徴とする食器洗い機用ポンプ。
【請求項２】
前記回転体の回動位置を検知する位置検知装置を備え、該検知装置からの信号と前記モータ部の回転数或いはオン／オフを連動させ前記切替弁の開閉を制御する制御部を有する
ことを特徴とする請求項１に記載の食器洗い機用ポンプ。
【請求項３】
複数の洗浄ノズルを有する食器洗い機に内蔵され洗浄水の供給に用いられるポンプであって、
モータ部とポンプ部とからなり、
前記ポンプ部は吸水口と吐出口とを有し、
前記吐出口から前記複数の洗浄ノズルに通じる複数の給水通路を有する食器洗い機用ポンプにおいて、
前記複数の給水通路が前記ポンプ部の吐出口から直に分岐する複数の吐出管により形成され、
前記複数の吐出管はそれぞれの給水通路を開閉する切替弁を有している
ことを特徴とする食器洗い機用ポンプ。
【請求項４】
前記モータ部の回転数或いはオン／オフに連動して前記切替弁が開閉する制御部を有する
ことを特徴とする請求項３に記載の食器洗い機用ポンプ。
【請求項５】
請求項１〜４のいずれかに記載の食器洗い機用ポンプを洗浄ポンプに用いた
ことを特徴とする食器洗い機。
【発明の詳細な説明】
【技術分野】
【０００１】
本発明は、食器洗い機用ポンプ及びそのポンプを用いた食器洗い機に関する。
【背景技術】
【０００２】
近年、食器洗い機は、洗浄性能の向上、あるいは被洗浄物の収容量増の要求に対して、食器洗浄槽の大形化や複数個の洗浄ノズルを用いて多方向から洗浄水を噴射し効率的な食器の洗浄ができる製品が普及している。
【０００３】
この種の食器洗い機は、食器に向けて洗浄水を噴射する洗浄ノズルが洗浄槽の下部と上部に備えられ、上部の洗浄ノズルから洗浄水の噴射をしたり、下部の洗浄ノズルから洗浄水の噴射をしたり、上部と下部の洗浄ノズルから同時に洗浄水の噴射をしたりする多種の洗浄方式が得られるもので、このような洗浄方式は様々な切り替え方式で選択されるようになっている（例えば、特許文献１）。
【特許文献１】特開２００３−３３９６０９号公報
【発明の開示】
【発明が解決しようとする課題】
【０００４】
しかしながら、従来の切り替え方式は、上記文献に記載のように洗浄ポンプから吐出される洗浄水を複数の洗浄ノズルに供給する給水路の分岐部に切替弁を設ける方法や各洗浄ノズルへの配管途中に切替弁を設ける方法が一般的であり、このような切替弁には特殊構造の切替弁や高価な電磁弁が用いられ、また配管途中に切替弁を設けるものは配管廻りや制御装置が複雑になり、部品数の増加により製品のコスト上昇や軽量、小形化を阻害するという問題を伴っている。
【０００５】
そこで本発明は、構造が簡単で開閉動作が行いやすく、かつ安価である切替機構を有する食器洗い機用ポンプ、また、食器洗い機内の配管の簡素化が図られ製品のコスト、軽量、小形化に有利である食器洗い機に好適なポンプを提供することを目的とする。
【課題を解決するための手段】
【０００６】
請求項１の発明は、複数の洗浄ノズルを有する食器洗い機に内蔵され洗浄水の供給に用いられるポンプであって、モータ部とポンプ部とからなり、前記ポンプ部は吸水口と吐出口とを有し、前記複数の洗浄ノズルに通じる給水通路に分岐する分岐部が前記吐出口からの通路に設けられ、該分岐部に前記複数の給水通路を開閉する切替弁が配された食器洗い機用ポンプにおいて、前記切替弁が通水部と止水部とを有する回転自在の回転体からなり、前記回転体の回動角度に応じて前記通水部が、前記複数の給水通路の少なくとも１通路を開放することを特徴とする食器洗い機用ポンプである。
【０００７】
請求項２の発明は、前記回転体の回動位置を検知する位置検知装置を備え、該検知装置からの信号と前記モータ部の回転数或いはオン／オフを連動させ前記切替弁の開閉を制御する制御部を有することを特徴とする請求項１に記載の食器洗い機用ポンプである。
【０００８】
請求項３の発明は、複数の洗浄ノズルを有する食器洗い機に内蔵され洗浄水の供給に用いられるポンプであって、モータ部とポンプ部とからなり、前記ポンプ部は吸水口と吐出口とを有し、前記吐出口から前記複数の洗浄ノズルに通じる複数の給水通路を有する食器洗い機用ポンプにおいて、前記複数の給水通路が前記ポンプ部の吐出口から直に分岐する複数の吐出管により形成され、前記複数の吐出管はそれぞれの給水通路を開閉する切替弁を有していることを特徴とする食器洗い機用ポンプである。
【０００９】
請求項４の発明は、前記モータ部の回転数或いはオン／オフに連動して前記切替弁が開閉する制御部を有することを特徴とする請求項３に記載の食器洗い機用ポンプである。
【００１０】
請求項５の発明は、請求項１〜４のいずれかに記載の食器洗い機用ポンプを洗浄ポンプに用いたことを特徴とする食器洗い機である。
【発明の効果】
【００１１】
本発明の食器洗い機用ポンプによれば、切替弁を簡単な構造とすることで、切替弁及びその制御回路を安価なものとすることができ、またポンプから洗浄ノズルに至る配管廻りを簡素化、短縮し、配管の部品点数を削減することができる。これにより、食器洗い機の低価格化および軽量化、小形化等の性能向上を図ることができる。
【発明を実施するための最良の形態】
【００１２】
本発明の実施形態について図面を参照し説明する。
【００１３】
［食器洗い機の説明］
図１は、食器洗い機１００の構成を示す概略断面図である。食器洗い機１００は外枠本体１の内側に食器類の洗浄槽２を備え、洗浄槽２内には、食器類を収納する出し入れ自在な食器かご３ａ、３ｂが上下２段に備えられている。洗浄槽２の下部には下部洗浄ノズル４（ａ、ｂ）が、上部には上部洗浄ノズル５（ａ、ｂ）が２ヶ所ずつ備えられ、上部、下部洗浄ノズル４、５は洗浄水の噴射反力により回転自在に設けられ、回転しながら洗浄水を噴射して食器類の洗浄を行うものである。
【００１４】
洗浄槽２の下方には、洗浄水タンク６が設けられる。洗浄水タンク６の洗浄水は、洗浄ポンプ７に吸引され、かつ加圧されて上部及び下部洗浄ノズル４、５に圧送され噴射される。また排水ポンプ８は、洗浄後の洗浄水を洗浄水タンク６から吸引し機外に排水する。洗浄ポンプ７と排水ポンプ８は、モータ部９で駆動され、モータ部９の回転方向によって洗浄ポンプ７と排水ポンプ８を個別に機能させるものである。
【００１５】
ほかに、食器洗い機１００の洗浄、排水、乾燥等のコントロールを行う制御装置とパネルスイッチ類、洗浄後の食器に乾燥空気を送り乾燥させる送風ファン、乾燥空気の加熱および洗浄水の加熱を行うヒータなどが備えられている。
【００１６】
上記洗浄ポンプ７は、吸引した洗浄水を下部洗浄ノズル４や上部洗浄ノズル５のそれぞれに個別に供給したり、下部及び上部洗浄ノズル４、５に同時に供給する。この洗浄水の供給開閉を行う洗浄水開閉手段は、洗浄ポンプ７の吐出口から各洗浄ノズル４、５への給水通路の途中に具備されている。
【００１７】
［第１の実施形態］
図２に示す第１の実施形態の洗浄ポンプ１０は、モータ部１１とポンプ部１２とから構成され、ポンプ部１２は吸水口１３と吐出口１４とを備え、吸水口１３は洗浄水タンク６に接続され洗浄水を吸引し、また吐出口１４は下部洗浄ノズル４と上部洗浄ノズル５にそれぞれ給水管１５を通じて接続されている。
【００１８】
モータ部１１としては、特に限定されることはなく、ブラシレスＤＣモータ、誘導電動機、同期モータなどを使用することができる。
【００１９】
モータ部１１の回転軸には羽根車が装着され、羽根車はポンプ部１２のポンプ室内に配されており、羽根車の回転により吸水口１３から吸引した洗浄タンク６の洗浄水をポンプ室から吐出口１４に送り、洗浄水を上下の洗浄ノズル４、５に圧送する。
【００２０】
吐出口１４は上下部の洗浄ノズル４、５に連通する給水管１５が接続されており、給水管１５は下部洗浄ノズル４への給水通路１６と上部洗浄ノズル５への給水通路１７への２方向に分岐する分岐部１８を設け、該分岐部１８内には２方向への給水通路１６、１７を開閉する回転自在の切替弁２０が収納されている。
【００２１】
また、分岐部１８の外周部には切替弁２０の回転位置を検知する位置検出装置３０が設けられている。
【００２２】
図３、図４に示すように、前記切替弁２０は円盤状の回転体からなり、中央部を貫通する摺動性の回転軸２１が吐出口１４側の軸受部２２と給水管１５側の軸受部２３との間に嵌め込まれ回転自在に軸支され、また分岐部１８の内周側には切替弁２０の回転体外周が当接するフランジ部１９が設けられている。
【００２３】
切替弁２０は、円盤状部に断面が半円形状をなす貫通孔からなる通水部２４を開口し、その対称位置を止水部２５とし、回転位置の検出のためのマグネット２６が埋設されている。
【００２４】
前記切替弁２０の回転手段としては、特に限定されることなないが、ポンプから圧送されてくる洗浄水により、例えば図６に示すような回転体の底部から下方に突出した羽根２７が流体を受けて所定方向に回転しながら、洗浄水により押圧され上昇し、爪と爪車を利用したストッパー手段により所定回転角度毎に停止するもの、などが用いられる。
【００２５】
図５は、図４のＡ−Ａ線断面を上方から見たもの（位置検出装置３０は省略する）であり、洗浄ノズル４、５へ通じる給水通路１６、１７の開口部が、管内を横断して設けられた軸受部２３により吐出口１４から２方向に分岐し開口している。
【００２６】
本実施形態の構成では洗浄ポンプ１０の水圧により切替弁２０が回転しながら軸方向に上昇しフランジ部１９で切替弁２０を所定の上昇位置および回転位置で係止させて給水通路１６、１７を切替える方式であり、かつフランジ部１９に切替弁２０の外周部が当接し不要な方向への漏水を防いでいる。
【００２７】
図５（ａ）に示すように、切替弁２０の通水部２４を分岐部１８の左側の回転角に位置するようにしたときには、上部ノズル５への給水通路１７が閉ざされて、下部ノズル４への給水通路１６を通じて下部ノズル４にのみ洗浄水が供給される。
【００２８】
図５（ｂ）及び（ｄ）に示すように、切替弁２０の通水部２４が給水通路１６、１７の両方に跨るような回転角に位置するときには、下部ノズル４と上部ノズル５への両給水通路１６、１７が開かれて下部ノズル４と上部ノズル５に洗浄水が供給される。但し、二つの給水通路１６、１７の入口は切替弁２０の止水部２５でそれぞれ半部程度閉ざされるので、それぞれのノズルに供給される洗浄水は減少する。
【００２９】
また、図５（ｃ）に示すように、切替弁２０の通水部２４を右側の回転角に位置するようにしたときには、下部ノズル４への給水通路１６が閉ざされて、給水通路１７を通じて上部ノズル５にのみ洗浄水が供給される。
【００３０】
この場合、切替弁２０の通水部２４は断面が半円形の形をしているので、切替弁２０の開閉のための回転移動角度は９０度の倍ピッチで行われ、位置検出装置３０により切替弁２０の回転位置を検知しながら制御部を通じて、食器洗い機１００の洗浄モードに応じたポンプ１０のオン／オフ動作やモータの回転数（洗浄水の水圧や供給量）に連動させ洗浄水を供給する洗浄ノズルや洗浄水量を設定することができる。
【００３１】
また、切替弁２０の回転移動角度を、例えば、９０／６０／３０／９０／６０／３０度の変速ピッチで行うと、下部ノズル４と上部ノズル５への給水通路１６、１７の開口部面積を等しくしたり、変化させそれぞれの洗浄ノズルへの洗浄水供給量を調整することもできる。
【００３２】
上記構成により、切替弁が簡単な構造で安価に製造し、切替機構を確実に動作させることができる。また、ポンプ近傍で切り替えができるので、配管廻りを簡素化し、部品点数を削減することができ、食器洗い機の小形、軽量化、低価格化を図ることもできる。さらに、配管内の残水を減少させるものとなる。
【００３３】
［第２の実施形態］
図７に示す第２の実施形態の洗浄ポンプ５０は、モータ部５１とポンプ部５２とから構成され、ポンプ部５２は吸水口５３と吐出口５４とを備え、吸水口５３は洗浄水タンク６に接続され洗浄水を吸引し、また吐出口５４は下部洗浄ノズル４と上部洗浄ノズル５にそれぞれ給水通路５８、５９を通じて接続されている。
【００３４】
モータ部５１としては、ポンプ１０と同じく特に限定されることはなく、ブラシレスＤＣモータ、誘導電動機、同期モータなどを使用することができる。
【００３５】
モータ部５１の回転軸には羽根車が装着され、羽根車はポンプ部５２のポンプ室内に配されており、羽根車の回転により吸水口５３から吸引した洗浄タンク６の洗浄水をポンプ室から吐出口５４に送り、洗浄水を洗浄ノズル４、５に圧送する。
【００３６】
吐出口５４は、前記ポンプ部５２の吐出口開口部から直に分岐し２方向に二股状に突出する吐出管５６、５７を有している。
【００３７】
上記吐出管５６、５７は、ポンプ部５２の樹脂製ケーシング５５に一体成形されたものである。また、吐出口５４に別部品からなる二股状の吐出管を接続したものでもよい。
【００３８】
吐出管５６、５７は、下部洗浄ノズル４に通じる給水通路５８と上部洗浄ノズル５に通じる給水通路５９にそれぞれ接続され、その接続部には通路の開閉を行う切替弁６１、６２が設けられている。
【００３９】
前記切替弁６１、６２は、電磁弁が使用され、食器洗い機１００に設けられた制御回路に接続されて、食器洗い機１００の洗浄モードに応じたポンプ５０のオン／オフやモータの回転数に連動させて切替弁６１、６２の一方を、または両方を開閉させ、洗浄水を下部洗浄ノズル４のみ、また上部洗浄ノズル５のみ、あるいは上下の洗浄ノズル４、５から同時に洗浄水を噴射することができる。
【００４０】
モータ５１の回転数に連動し切替弁６１、６２の切り替えを行うことで、例えば、食器類が多量の際は、上下部ノズル４、５から洗浄水を噴射し、洗浄物が少量の際は回転数を下げて少量の洗浄水での洗浄を行い省エネルギーに貢献することができる。
【００４１】
上記構成により、ポンプから各洗浄ノズルへの配管距離を最小限にして配管廻りを簡素化し、部品点数を削減することができるので、食器洗い機の小形、軽量化、低価格化を図ることができる。
【産業上の利用可能性】
【００４２】
本発明の食器洗い機用ポンプは、食器洗い機に好適である。
【図面の簡単な説明】
【００４３】
【図１】食器洗い機の要部構成を示す概略断面図である。
【図２】第１の実施形態のポンプの概略図である。
【図３】同上のポンプ吐出口の切り替え部の縦断面図である。
【図４】切替弁の平面図である。
【図５】図３におけるＡ−Ａ線断面を上方から見た概略図である。
【図６】切替弁の回転機構を例示する底面図である。
【図７】第２の実施形態のポンプの概略図である。
【図８】同上のポンプ吐出口の切り替え部の縦断面図である。
【符号の説明】
【００４４】
４、５……洗浄ノズル
１０……ポンプ
１１……モータ部
１２……ポンプ部
１３……吸水口
１４……吐出口
１６、１７……給水通路
１８……分岐部
２０……切替弁
２４……通水部
２５……止水部
【図１】
2007181573.tif 000003
【図２】
2007181573.tif 000004
【図３】
2007181573.tif 000005
【図４】
2007181573.tif 000006
【図５】
2007181573.tif 000007
【図６】
2007181573.tif 000008
【図７】
2007181573.tif 000009
【図８】
2007181573.tif 000010